(57)【要約】  【課題】  除湿調整機能をもちながら、小型化を図ることができる監視カメラ装置を提供する。  【解決手段】  監視カメラ装置１０は、除湿素子４２および 電極を有する除湿調整体１４と、カメラ筐体１２とを備える。除湿調整体１４はカメラ筐体１２の被係合部に係合する係合部を有する。電極は一端側が除湿素子４２に電源を供給するとともに、他端側が除湿調整体１４の係合部を貫通するように設けられている。除湿調整体１４の係合部とカメラ筐体１２の被係合部とで、除湿調整体１４がカメラ筐体１２に着脱自在になっている。【選択図】  図１
2005260923.tif 000002
【特許請求の範囲】
【請求項１】
除湿素子および電極を有する除湿調整体と、カメラ筐体とを備え、前記除湿調整体は前記カメラ筐体の被係合部に係合する係合部を有し、前記電極は一端側が前記除湿素子に電源を供給するとともに、他端側が前記除湿調整体の係合部を貫通しており、前記除湿調整体の係合部と前記カメラ筐体の被係合部とで、前記除湿調整体が前記カメラ筐体に着脱自在になっていることを特徴とする監視カメラ装置。
【請求項２】
前記係合部は、外周に雄ねじが設けられたねじ部であることを特徴とする請求項１に記載の監視カメラ装置。
【請求項３】
前記ねじ部に前記除湿素子と前記電極が内蔵されていることを特徴とする請求項２に記載の監視カメラ装置。
【請求項４】
前記除湿素子は、両面を電極膜に挟まれた固体高分子電解質膜を備え、一方の面を前記カメラ筐体外部に、他方の面を前記カメラ筐体内部に向けて配置されていることを特徴とする請求項１〜３のいずれかに記載の監視カメラ装置。
【請求項５】
前記電極は電極端子片で構成され、前記電極端子片は、前記電極膜に接触する接触部と、前記接触部からカメラ筐体内部へ向けて前記係合部内を延びる端子部とを備えたことを特徴とする請求項４に記載の監視カメラ装置。
【請求項６】
前記電極端子片では、前記接触部が前記除湿素子の縁に沿って設けられ、前記接触部から前記端子部が突き出しており、前記除湿素子の一方の面と他方の面に一対の前記電極端子片が互いに反対向きに設けられていることを特徴とする請求項５に記載の監視カメラ装置。
【請求項７】
除湿素子および電極を有する除湿調整体と、カメラ筐体とを備え、前記除湿調整体は、ねじ形状の調整体本体を有し、前記除湿素子および前記電極が前記調整体本体に内蔵されており、前記調整体本体が前記カメラ筐体に設けられたねじ穴に取り付けられていることを特徴とする監視カメラ装置。
【請求項８】
前記除湿素子は固体高分子電解質膜を備えており、前記固体高分子電解質膜が前記調整体本体に設けられた筐体内外を結ぶ開口部を塞ぐように配置されていることを特徴とする請求項７に記載の監視カメラ装置。
【請求項９】
除湿素子と、電極と、カメラ筐体の被係合部に係合する係合部とを有し、前記電極は一端側が前記除湿素子に電源を供給するとともに、他端側が前記除湿調整体の係合部を貫通しており、前記係合部と前記カメラ筐体の被係合部とで、前記カメラ筐体に着脱自在であることを特徴とする除湿調整体。
【発明の詳細な説明】
【技術分野】
【０００１】
本発明は、除湿機能を備えた監視カメラに関するものである。
【背景技術】
【０００２】
従来、特許文献１に記載されているように、各種物品の保管庫に除湿素子を備えた除湿調整体を取り付けて、内部空間を除湿する除湿調整器が知られている。このような除湿調整器は、除湿調整体への電力を保管庫内部側から供給するために、保管庫の内側に除湿調整体を取り付ける構造を有している。
【０００３】
また、従来の監視カメラ装置においては、特許文献２に記載されているように、ヒータまたはファンを用いて除湿する機能をもったカメラが一般的に知られている。
【特許文献１】特開２０００−２０２２３１号公報（第２ページ、図６）
【特許文献２】実用新案登録第３０７５３５１号公報（第２ページ、図２）
【発明の開示】
【発明が解決しようとする課題】
【０００４】
しかしながら、従来の監視カメラ装置においては、ヒータまたはファンにスペースがとられるために、監視カメラ装置自体が大きくなってしまうという問題点があった。また、除湿調整体を監視カメラ装置に取り付けようとしても、従来から除湿調整体が使われている保管庫のような大きな筐体と異なり、監視カメラ装置は筐体が小さいために、従来のような内側からの取付構造に適さないという問題があった。
【０００５】
本発明は、上記背景の下でなされたものであり、その目的は、除湿調整機能をもちながら、小型化を図ることができる監視カメラ装置を提供することにある。
【課題を解決するための手段】
【０００６】
本発明の監視カメラ装置は、除湿素子および電極を有する除湿調整体と、カメラ筐体とを備え、前記除湿調整体は前記カメラ筐体の被係合部に係合する係合部を有し、前記電極は一端側が前記除湿素子に電源を供給するとともに、他端側が前記除湿調整体の係合部を貫通しており、前記除湿調整体の係合部と前記カメラ筐体の被係合部とで、前記除湿調整体が前記カメラ筐体に着脱自在になっている。
【０００７】
この構成により、電極の一端側が除湿素子に電源を供給すると共に、他端側が除湿調整体の係合部を貫通しているので、カメラ筐体に係合した除湿調整体に筐体内部から係合部を通して電源を供給できる。このようにして、カメラ筐体の小さなスペースしか使わずに除湿調整体を取り付けられるので、除湿調整機能をもちながら、監視カメラ装置の小型化を図ることが可能になる。
【０００８】
また、本発明の監視カメラ装置において、前記係合部は、外周に雄ねじが設けられたねじ部である。この構成により、係合部の構成が小型にでき、さらなる小型化を図れる。
【０００９】
また、本発明の監視カメラ装置において、前記ねじ部に前記除湿素子と前記電極が内蔵されている。この構成により、除湿調整体を小型化でき、監視カメラ装置のさらなる小型化が図れる。
【００１０】
また、本発明の監視カメラ装置において、前記除湿素子は、両面を電極膜に挟まれた固体高分子電解質膜を備え、一方の面を前記カメラ筐体外部に、他方の面を前記カメラ筐体内部に向けて配置されている。この構成により、除湿調整体を小型化でき、監視カメラ装置のさらなる小型化が図れる。
【００１１】
また、本発明の監視カメラ装置において、前記電極は電極端子片で構成され、前記電極端子片は、前記電極膜に接触する接触部と、前記接触部から前記カメラ筐体内部へ向けて前記係合部内を延びる端子部とを備えている。この構成により、除湿調整体をカメラ筐体に取り付けて、電極端子片に電源を接続すればよく、小さなスペースで除湿調整体を備えられ、監視カメラ装置のさらなる小型化を図れる。
【００１２】
また、本発明の監視カメラ装置において、前記電極端子片では、前記接触部が前記除湿素子の縁に沿って設けられ、前記接触部の所定部位から前記端子部が突き出しており、前記除湿素子の一方の面と他方の面に一対の前記電極端子片が互いに反対向きに設けられている。この構成により、一対の電極端子片を反対向きに配置したことで、両極の端子部が除湿素子を挟んで反対に位置することになり、電極の絶縁を容易に確保でき、これにより、除湿調整体の小型化とそれに伴う監視カメラ装置のさらなる小型化を図れる。
【００１３】
また、本発明の別態様の監視カメラ装置は、除湿素子および電極を有する除湿調整体と、カメラ筐体とを備え、前記除湿調整体は、ねじ形状の調整体本体を有し、前記除湿素子および前記電極が前記調整体本体に内蔵されており、前記調整体本体が前記カメラ筐体に設けられたねじ穴に取り付けられている。
【００１４】
この構成により、除湿調整体をねじ形状の調整体本体で構成し、調整体本体に除湿素子および電極を設け、調整体本体をカメラ筐体のねじ穴に結合している。調整体本体自体をねじ形状部材にしたことで、小さなスペースで除湿調整体を設けることができ、除湿調整機能をもちながら、監視カメラ装置の小型化を図ることが可能になる。
【００１５】
また、本発明の監視カメラ装置において、前記除湿素子は固体高分子電解質膜を備えており、前記固体高分子電解質膜が前記調整体本体に設けられた筐体内外を結ぶ開口部を塞ぐように配置されている。この構成により、除湿調整体を小型化でき、監視カメラ装置のさらなる小型化が図れる。
【００１６】
また、本発明の別態様は除湿調整体であり、この除湿調整体は、除湿素子と、電極と、カメラ筐体の被係合部に係合する係合部とを有し、前記電極は一端側が前記除湿素子に電源を供給するとともに、他端側が前記除湿調整体の係合部を貫通しており、前記係合部と前記カメラ筐体の被係合部とで、前記カメラ筐体に着脱自在である。
【発明の効果】
【００１７】
本発明は、除湿調整体の係合部を電極の一端側が貫通する構成を設けたことにより、カメラ筐体に対して小さなスペースで除湿調整体を取り付けられ、除湿調整機能をもちながら、小型化を図ることが可能になるという効果を有する監視カメラ装置を提供することができるものである。
【発明を実施するための最良の形態】
【００１８】
以下、本発明の実施の形態の監視カメラ装置について、図面を用いて説明する。本実施の形態において、監視カメラ装置は屋外用である。
【００１９】
図１は、本発明の実施の形態の監視カメラ装置における除湿関連の構成の主要部を示しており、図２〜図５は、監視カメラ装置の全体構成を示している。まず、図２〜図５を参照し、監視カメラ装置の概要を説明する。
【００２０】
図２および図３は監視カメラ装置１０を下方および前方から見た外観図である。また、図４および図５は、それぞれ、監視カメラ装置１０を図２の線ＡＡ、線ＢＢで切断した断面図である。
【００２１】
図２〜図５において、監視カメラ装置１０は、カメラ筐体１２と除湿調整体１４とを備える。カメラ筐体１２は、筒型の筐体本体１６およびレンズ部筐体（鏡筒）１８を備え、レンズ部筐体１８が筐体本体１６の前方に取り付けられている。また、図示されないが、筐体本体１６の後部もカバーで覆われている。
【００２２】
除湿調整体１４は、筐体本体１６の中央より前方の取付穴２０に取り付けられている。カメラ筐体１２の内部空間は、除湿調整体１４の取付部位から、レンズ部筐体１８の前端まで続いている。したがって、除湿調整体１４が機能することで、前端の透明カバー２２の部分の除湿ができる。
【００２３】
除湿調整体１４には、カメラ筐体１２の内部に延びるようにリード線２４、２６が取り付けられている。リード線２４、２６の先端にはコネクタ２８が取り付けられており、コネクタ２８は、カメラ筐体１２内に保持された基板３０に取り付けられている。監視カメラ装置１０の全体の電源装置から、基板３０を経由し、コネクタ２８およびリード線２４、２６を介して除湿調整体１４に電力が供給される。
【００２４】
図２〜図５では省略されているが、カメラ筐体１２内には、カメラを構成する他の各種構成が収容されている。他の構成とは、例えば、レンズ、ＣＣＤ、電源装置等であり、また、基板３０以外のメイン基板等の基板である。
【００２５】
次に、図１は、除湿調整体１４の部分の断面図であり、前述のように本実施の形態の除湿機構の主要部を示している。また、図６および図７は、それぞれ、除湿調整体１４の平面図および側面図であり、図８は、除湿調整体１４を図６の線ＣＣで切断した断面図である。さらに、図９および図１０は、除湿調整体１４を頭部側およびその反対側から見た斜視図である。これらの図を参照し、本実施の形態の除湿機構を説明する。
【００２６】
図１等に示すように、除湿調整体１４は、調整体本体４０と、除湿素子４２と、電極端子片４４、４６とを備え、除湿素子４２および電極端子片４４、４６は調整体本体４０に内蔵されている。
【００２７】
調整体本体４０は樹脂製であり、ねじ形状を有し、ねじ部５０とねじ頭部５２で構成される。ねじ部５０の外周には雄ねじ５４が設けられている。一方、カメラ筐体１２の取付穴２０の内周面には雌ねじ５６が設けられている。そして、ねじ部５０が取付穴２０に締め付けられている。ここで、本実施の形態では、ねじ部５０が除湿調整体１４の係合部に相当し、取付穴２０がカメラ筐体１２の被係合部に相当し、両者により除湿調整体１４がカメラ筐体１２に着脱自在になっている。
【００２８】
ねじ頭部５２は、フランジ形状を有する。ねじ頭部５２と、カメラ筐体１２の間にはＯリング５８が挟まれており、Ｏリング５８により防水性が確保される。また、ねじ頭部５２には、４方向に放射状の工具溝６０が設けられている。工具溝６０には、除湿調整体１４をカメラ筐体１２に締め付ける工具が挿入される。
【００２９】
また、調整体本体４０の中央部には、筐体内外を結ぶように開口部６２が設けられている。除湿素子４２は、下記の如く、この開口部６２を塞ぐように設けられている。
【００３０】
除湿素子４２は、円形の膜で構成され、そして、調整体本体４０の中央に、ねじ方向に対して直角に配置されている。除湿素子４２の直径は開口部６２より大きい。したがって、除湿素子４２は、全周にわたり、縁部の一定幅の部分にて、開口部６２の周囲の部分に保持されており、これにより除湿素子４２が開口部６２を塞いでいる。そして、この配置により、除湿素子４２の一方の面が筐体外部を向き、他方の面が筐体内部を向いている。
【００３１】
除湿素子４２は、両側を電極膜で挟まれた固体高分子電解質膜を備えた３層構造を有している。両側の電極膜に電圧を印加すると、陽極側の電極膜は、空中の水分子を電気分解して、酸素と水素を発生する。固体高分子電解質膜が水素イオン交換膜として機能し、陽極側の電極膜で発生した水素が、陰極側の電極膜に移動する。また、陽極側の電極膜から電源を介して陰極側の電極膜に電子が移動する。そして、陰極側の電極膜は、電気分解の逆の反応により、水素と酸素から水分子を生成する。このようにして、除湿素子４２は陽極側の空間の水分を陰極側の空間に移動でき、除湿素子として機能できる。
【００３２】
なお、このような固体高分子電解質膜からなる除湿素子については、例えば、特開２０００−２０２２３１号公報および特開平６−６３３４３号公報に開示されている。
【００３３】
次に、除湿素子４２を電源に接続するための構成を説明する。上記の除湿素子４２の特性を利用するために、除湿素子４２は、筐体内側が陽極、筐体外側が陰極になるように電源に接続される。
【００３４】
図１に示すように、除湿素子４２は、金属製で薄板状の電極端子片４４、４６で挟まれており、電極端子片４４が除湿素子４２に筐体内部側から接し、電極端子片４６が除湿素子４２に筐体外部側から接している。
【００３５】
電極端子片４４は、除湿素子４２の電極膜に接触する接触部７０と、接触部７０から延びる端子部７２とを有する。接触部７０は、円形のリング状であり、接触部７０の外径は除湿素子４２の外径より少し小さく、また、接触部７０の内径は調整体本体４０の開口部６２の直径より少し大きい。したがって、接触部７０は、調整体本体４０内で、除湿素子４２の縁部に沿うように全周にわたって設けられており、そして全周で除湿素子４２の縁部に接触している。
【００３６】
また、電極端子片４４の端子部７２は帯状の形状を有しており、接触部７０の一箇所から突出している。そして、端子部７０は、半径方向に少し延び、直角に折れ曲がり、ねじ軸方向（すなわち除湿調整体１４の係合方向）に延びる。端子部７２は、図示のように、ねじ部５０の外周の雄ねじ５４よりも少し内側に配置されている。端子部７２は、ねじ部５０を貫通し、調整体本体４０の筐体内部側の端面から突き出している。
【００３７】
もう一方の電極端子片４６は、上記の電極端子片４４と同様の構造を有し、すなわち、電極端子片４６も、リング状の接触部７４と帯状の端子部７６が連結された構成を有する。
【００３８】
ただし、電極端子片４６の接触部７４は、筐体外部側から除湿素子４２に接触している。したがって、接触部７４は、除湿素子４２を挟んで電極端子片４４の接触部７０の反対に位置する。
【００３９】
また、電極端子片４６は、電極端子片４４と反対向きに備えられている。ここで、電極端子片４４、４６の向きは、ねじ軸方向（係合方向）に垂直な面上での、端子部７２、７６の位置の方向である。この反対向きの配置により、端子部７０、７６は除湿素子４２を挟んで反対に位置している。端子部７６も、端子部７０と同様に、ねじ部５４を貫通して、調整体本体４０の筐体内部側の端面から突き出している。そして、両端子部７０、７６の先端には、リード線２４、２６がはんだ付けされている。
【００４０】
なお、上記のように電極端子片４４、４６は、接触部と端子部とで構成される点で同じであるが、各部の寸法等は適当に異なっていてよい。
【００４１】
また、上記の電極端子片４４、４６はさらに両側から円環状の保持具８０、８２で挟まれている。保持具８０、８２は、樹脂製であり、除湿調整体４２の製造時に、電極端子片４４、４６および除湿素子４２を金型内に保持する機能をもつ。また、調整体本体４０は、筐体内部側の端面に４つの穴８４を有し、筐体外部側の端面にも４つの穴８６を有する。穴８４、８６は、製造時に保持具８０、８２を位置決めするために利用される。
【００４２】
次に、本実施の形態の監視カメラ装置１０の製造方法を説明する。まず、除湿調整体４２の製造方法としては、樹脂成形用の金型内に、保持具８０、電極端子片４４、除湿素子４２、電極端子片４６および保持具８２が配置される。これら部材は、図１、図８に示されるように、上記の順番で積み重ねった状態におかれ、金型によって互いに押しつけられる。また、保持具８０、保持具８２の穴８４、８６に金型のピンが嵌り、これにより保持具８０、８２が位置決めされる。また、電極端子片４４、４６の方向も、金型により決められる。図１に示したように、両電極端子片４４、４６は反対方向を向けられる。
【００４３】
そして、金型が閉じた状態で樹脂成形が行われる。これにより、調整体本体４０が形成され、除湿調整体１４が得られる。保持具８０、８２は調整体本体４０に鋳込まれて、調整体本体４０と一体化し、その一部になる。
【００４４】
上記のようにして製造された除湿調整体１４においては、ねじ部５０の端面から、電極端子片４４、４６の端子部７２、７６が突出している。この端子部７２、７６にリード線２４、２６がはんだ付けされる。なお、リード線２４、２６の先端はコネクタ２８にはんだ付けされている。
【００４５】
そして、除湿調整体１４のねじ部５０にＯリング５８が嵌められ、除湿調整体１４が、カメラ筐体１２の取付穴２０に筐体外部側から取り付けられる。ここでは、工具溝６０に工具が嵌められる。工具を回すことで、ねじ穴である取付穴２０に除湿調整体１４が締結され、ねじ部５０の外周の雄ねじ５４が取付穴２０の雌ねじ５６に係合する。このとき、Ｏリング５８は、除湿調整体１４のねじ頭部５２と筐体本体１６の取付台座部の間に挟まれて、つぶれる。
【００４６】
除湿調整体１４が取り付けられると、コネクタ２８が、カメラ筐体１２に支持されている基板３０のコネクタに取り付けられる。コネクタ２８は、除湿調整体１４の電極端子片４４が陽極側に、電極端子片４６が陰極側になるように接続される。これにより監視カメラ装置１０が完成する。
【００４７】
なお、上記では、除湿機構の組立に関して説明しており、レンズ、ＣＣＤ、基板等の各種カメラ部品の組立についての説明は省略した。
【００４８】
次に、本実施の形態の監視カメラ装置１０の除湿動作について説明する。除湿調整体１４の除湿素子４２に対して電圧が、基板３０からコネクタ２８、リード線２４、２６、電極端子片４４、４６を介して印加される。
【００４９】
既に説明したように、除湿素子４２は、開口部６２内に保持されており、陽極側の面が筐体内部空間に面しており、陰極側の面が筐体外部空間に面している。したがって、電圧の印加により、除湿素子４２が機能して、筐体内部空間の水分子が除湿素子４２を通って筐体外部空間に移動する。より詳細には、筐体内部空間の水分子が、除湿素子４２の電極膜で電気分解され、酸素と水素が発生する。水素は、除湿素子４２を通って反対側の電極膜に移動する。また、電気分解に伴い、電子が電源を経由して、すなわち、リード線２４、２６等を通って反対側の電極膜に移動する。そして反対側の電極膜で、電気分解の逆の反応により、水素と酸素から水分子が生成される。水分子は、開口部６２から外部空間に放出される。
【００５０】
除湿調整体１４の取付部位の内部空間は、カメラ筐体１２の最前部にある透明カバー２２の内部空間まで通じている。したがって、除湿調整体１４の除湿機能により、監視カメラ装置１０の最前部の除湿を行うことができ、良好な画像を得ることができる。
【００５１】
以上に本発明の実施の形態の監視カメラ装置１０について説明した。本実施の形態の監視カメラ装置１０によれば、除湿調整体１４が除湿素子４２と電極とを有しており、電極の一端側が除湿素子４２に電源を供給すると共に、他端側が除湿調整体１４の係合部を貫通しているので、着脱自在な除湿調整体１４の係合部を通して筐体内部から除湿素子４２に電力を供給でき、したがって、小さなスペースしかとらずにカメラ筐体１２に除湿調整体１４を取り付けられ、これにより、除湿調整機能をもちながら、監視カメラ装置１０の小型化を図ることが可能になる。
【００５２】
また、仮に監視カメラ装置１０のサイズが同等でも、除湿調整体１４を設けるために装置を大きくせずにすみ、この点で監視カメラ装置１０の小型化を図れる。
【００５３】
また、本実施の形態の監視視カメラ装置１０によれば、除湿調整体１４の係合部がねじ部５０であるので、係合部の構成を小型にでき、監視カメラ装置１０のさらなる小型化を図れる。
【００５４】
また、本実施の形態の監視カメラ装置１０によれば、ねじ部５０に除湿素子４２と電極が内蔵されているので、除湿調整体１４を小型化でき、監視カメラ装置１０のさらなる小型化が図れる。
【００５５】
また、本実施の形態の監視カメラ装置１０によれば、除湿素子４２が、両面を電極膜に挟まれた固体高分子電解質膜を備え、一方の面をカメラ筐体１２の外部に向けて、他方の面をカメラ筐体１２の内部に向けて配置されており、この構成により、除湿調整体１４を小型化でき、監視カメラ装置１０のさらなる小型化が図れる。
【００５６】
また、本実施の形態の監視カメラ装置１０によれば、電極が電極端子片４４、４６で構成され、電極端子片４４、４６の端子部７２、７６がカメラ筐体内部へ向けて係合部内で延びている。このような構成により、除湿調整体１４をカメラ筐体１２に取り付けて、カメラ筐体内に延びた電極端子片４４、４６に電源を接続すればよく、したがって、小さなスペースで除湿調整体１４を備えられ、監視カメラ装置１０のさらなる小型化を図れる。
【００５７】
また、本実施の形態の監視カメラ装置１０によれば、電極端子片４４、４６では、接触部７０、７４が除湿素子４２の縁に沿って設けられ、接触部７０、７４から端子部が突き出しており、除湿素子４２の一方の面と他方の面に一対の除湿端子片４４、４６が互いに反対向きに設けられており、これにより、両極の端子部が除湿素子４２を挟んで反対に位置することになり、電極の絶縁を容易に確保でき、除湿調整体１４の小型化とそれに伴う監視カメラ装置１０のさらなる小型化を図れる。
【００５８】
また、本実施の形態の監視カメラ装置１０によれば、除湿調整体１４をねじ形状の調整体本体４０で構成し、調整体本体４０に除湿素子４２および電極を設け、調整体本体４２をカメラ筐体１２のねじ穴に結合するように構成している。したがって、調整体本体４２自体をねじ形状部材にしたことで、小さなスペースで除湿調整体１４を設けることができ、これにより、除湿調整機能をもちながら、監視カメラ装置１０の小型化を図ることが可能になる。そして、上述したように、除湿素子４２が固体高分子電解質膜を備え、固体高分子電解質膜が調整体本体４０に設けられた筐体内外を結ぶ開口部６２を塞ぐように配置されており、これにより除湿調整体４２を小型化でき、監視カメラ装置１０のさらなる小型化が図れる。
【００５９】
また、本実施の形態の除湿調整体１４は上記のように小型に構成することができ、これにより、除湿調整体１４が備えられる監視カメラ装置１０等の機器の小型化に寄与できる。
【００６０】
図１１は、上述の図１の構成の変形例である。下記のように、図１と図１１では、Ｏリングの断面形状と、筐体本体の取付穴構造が異なっている。
【００６１】
図１では、Ｏリング５８の断面形状は円形であった。これに対して、図１１（ａ）の監視カメラ装置１０では、Ｏリング５９の断面形状が四角形である（図１１（ｂ））。このように、Ｏリングの断面形状は円形に限定されなくてよい。
【００６２】
また、Ｏリング５９は、凸部５９１を有している。凸部５９１は、ねじ頭部５２に密着する部分に設けられている。より詳細には、凸部５９１は、ねじ頭部５２に接する面の中央の小さな突起で構成されている。
【００６３】
凸部５９１を設けることにより、Ｏリング５９とねじ頭部５２がより確実に密着する。したがって、シール性が向上する。また、凸部５９１を設けることにより、組立時にＯリング５９に作用する摩擦力を低減でき、そして、Ｏリング５９のよじれを防止することができる。したがって、Ｏリング５９の防水機能をより確実に得られる。
【００６４】
また、図１１（ａ）では、筐体本体１７が、Ｏリング５９の外側部分に、ねじ頭部５２に接する段差部分１７１を有している。この構成は、下記に説明するように、除湿調整体１４と筐体本体１７の防水性確保に寄与する。
【００６５】
段差部分１７１に関する構成をより詳細に説明すると、筐体本体１７は、ねじ頭部５２を収容する凹部１７２を有している。凹部底面１７３とねじ頭部５２との間に、Ｏリング５９が挟まれている。そして、段差部分１７１は、凹部１７２の隅に設けられており、段差部分１７１は、Ｏリング５９の周囲を囲っている。
【００６６】
除湿調整体１４が取り付けられた状態では、段差部分１７１が、ねじ頭部５２に接触する。段差部分１７１はねじ締結の座面として機能している。すなわち、段差部分１７１により、ねじと座面の接触状態が得られている。
【００６７】
段差部分１７１は、Ｏリング５９用の空間の高さ（凹部底面１７３とねじ頭部５２との距離）を規定している。したがって、変形状態のＯリング５９の高さ寸法も、段差部分１７１で規定される。段差部分１７１の高さは、Ｏリング５９が変形して防水性を発揮するのに適当な高さに設定されている。
【００６８】
このような構成により、組立時のＯリング５９のたわみ量のばらつきを少なくして、必要で適切なたわみ量を確保できる。そして、シール状態のばらつきを少なくして、シール性を確保できる。したがって、除湿素子にとって必要な防水性を確実に得られる。
【００６９】
図１２は、別の変形例を示している。図１１では、筐体本体の形状が変更されている。代わりに、図１２では、調整体本体４０の形状が変更されている。
【００７０】
図１２では、ねじ頭部５２の外周部にリブ５２１が設けられている。リブ５２１は、筐体本体１６の凹部底面に向かって突出している。そして、リブ５２１の先端面が、凹部底面に接触している。リブ５２１により、ねじと座面の接触状態が得られている。そして、リブ５２１の高さが、Ｏリング５８の変形後の高さを規定している。したがって、図１１の構成と同様に、Ｏリング５８のたわみ量が適切になり、防水性が好適に確保される。
【００７１】
また、図１３は、防水膜９０が取り付けられた状態の除湿調整体１４を示している。本実施の形態の除湿調整体１４を実用化するときには、図１３のように防水膜９０を備えることが好適である。
【００７２】
図１３において、除湿調整体１４は、図１、図９等に示された上述の構成と同様の構成を有している。防水膜９０は円形であり、調整体本体４０の浅い凹部の底面に貼り付けられている。防水膜９０は、除湿素子４２が備えられた開口部６２を塞いでいる。これにより、防水膜９０は、除湿素子４２を水分から保護する。このような防水膜は他の商品でも採用されている。防水膜９０は、多孔質膜である。四ふっ化エチレン樹脂多孔質膜が、防水膜として知られている。
【００７３】
本実施の形態の監視カメラは屋外機器であるので、防水膜９０を屋外環境から守る構成を設けることが望まれる。そこで、保護シート９１が、防水膜９０の外側に設けられている。保護シート９１の外径は、調整体本体４０の外径にほぼ等しい。保護シート９１は、円形の穴９１１を中央に有している。これにより、防水膜９０の縁部が保護シート９１により覆われており、防水膜９０（縁部以外）は露出している。
【００７４】
保護シート９１は、防水膜９０と調整体本体４０の上に同時に貼り付けられている。外側の部分が調整本体４０に貼り付けられ、内側の部分が防水膜９０に貼り付けられている。このような保護シート９１により、防水膜９０の外れを防止する機能が得られている。
【００７５】
また、保護シート９１の外周部には、工具溝６０を逃げるスリット９１２が設けられている。これにより、防水膜９０と保護シート９１が既に貼り付けられた状態で、除湿調整体１４を監視カメラに組み付けられる。組付後にシート貼付等の防水作業を行うことが不要である。このようにして、除湿調整体１４が単独で除湿素子４２の防水性を確保できる効果が得られ、組立作業が簡単になる。
【００７６】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７７】
以上のように、本発明にかかる監視カメラ装置は、除湿調整機能をもちながら、小型化を図ることが可能になるという効果を有し、屋外用監視カメラ等として有用である。
【図面の簡単な説明】
【００７８】
【図１】本発明の実施の形態における監視カメラ装置の除湿調整体部分の断面図
【図２】本発明の実施の形態における監視カメラ装置を下方から見た外観図
【図３】本発明の実施の形態における監視カメラ装置の前方から見た外観図
【図４】本発明の実施の形態における監視カメラ装置の断面図
【図５】本発明の実施の形態における監視カメラ装置の断面図
【図６】本発明の実施の形態の監視カメラ装置における除湿調整体の平面図
【図７】本発明の実施の形態の監視カメラ装置における除湿調整体の側面図
【図８】本発明の実施の形態の監視カメラ装置における除湿調整体の断面図
【図９】本発明の実施の形態の監視カメラ装置における除湿調整体の斜視図
【図１０】本発明の実施の形態の監視カメラ装置における除湿調整体の斜視図
【図１１】（ａ）Ｏリング形状が異なる構成の断面図  （ｂ）Ｏリングの断面図
【図１２】ねじ頭部の形状が異なる構成の断面図
【図１３】防水膜および保護シートが備えられた除湿調整体の斜視図
【符号の説明】
【００７９】
１０  監視カメラ装置
１２  カメラ筐体
１４  除湿調整体
１６  筐体本体
１８  レンズ部筐体
２０  取付穴
２２  カバー
２４、２６  リード線
２８  コネクタ
３０  基板
４０  調整体本体
４２  除湿素子
４４、４６  電極端子片
５０  ねじ部
５２  ねじ頭部
５４  雄ねじ
５６  雌ねじ
５８  Ｏリング
６０  工具溝
６２  開口部
７０、７４  接触部
７２、７６  端子部
【図１】
2005260923.tif 000003
【図２】
2005260923.tif 000004
【図３】
2005260923.tif 000005
【図４】
2005260923.tif 000006
【図５】
2005260923.tif 000007
【図６】
2005260923.tif 000008
【図７】
2005260923.tif 000009
【図８】
2005260923.tif 000010
【図９】
2005260923.tif 000011
【図１０】
2005260923.tif 000012
【図１１】
2005260923.tif 000013
【図１２】
2005260923.tif 000014
【図１３】
2005260923.tif 000015